(57)【要約】  本発明は、製品の偽造防止方法、すなわち、偽造品を検出する方法に関するものであり、製造業者が自身の製品を保護するために、また消費者が違法製造業者によって製造された製品を購入するのを防止するために使用することができる。本発明の方法は、ランダムに分散された光学的に視認可能な要素を含む、物品のデジタル化された識別子を、データベース内に記録された識別子のデジタル化画像と比較することによって、物品の真正性を識別することに存する。前記方法を使用することにより、比較手順の精度（信頼性）を高め、前記手順の数を減らし、消費者によって実行される手順を単純且つ容易にし、比較手順を自動化することによって物品の真正性を検証する時間を短縮することが可能となる。【選択図】図２
2008533538.tif 000002
【特許請求の範囲】
【請求項１】
製品の偽造防止方法であって、製品の真正性が、該製品に取り付けられた識別子のデジタル画像をデータベース内に保存されている前記識別子のデジタル画像と比較することによって判定され、前記識別子はランダムに配置された光学的に視認可能な要素を含む多次元の物理的物体の形態を有する、製品の偽造防止方法。
【請求項２】
前記識別子のそれぞれが、たとえば、データベース内に保存されている複数のデジタル画像のうちのいずれのデジタル画像を検査対象の識別子のデジタル画像と比較する必要があるかを判定するのに役立つ登録番号のような、特有の特性を有する、請求項１に記載の製品の偽造防止方法。
【請求項３】
製品の真正性の判定が、関与する専門の第三者が、製造業者の商標使用権を検証し、消費者に提供される情報を確認することによって達成される、請求項１に記載の製品の偽造防止方法。
【請求項４】
前記多次元の物理的物体が、透明な材料又は部分的に透明な材料から作成される、請求項１に記載の製品の偽造防止方法。
【請求項５】
視認可能な粒子が前記視認可能な要素の役割を果たす、請求項１に記載の製品の偽造防止方法。
【請求項６】
前記視認可能な粒子の形状がランダムである、請求項５に記載の製品の偽造防止方法。
【請求項７】
前記視認可能な粒子が種々の色である、請求項５に記載の製品の偽造防止方法。
【請求項８】
前記視認可能な粒子が種々の光学濃度を有する、請求項５に記載の製品の偽造防止方法。
【請求項９】
前記視認可能な粒子が、前記多次元の物理的物体内に静的にランダムに配置される、請求項５に記載の製品の偽造防止方法。
【請求項１０】
前記視認可能な粒子が、前記多次元の物理的物体内に動的にランダムに配置される、請求項５に記載の製品の偽造防止方法。
【請求項１１】
前記視認可能な要素が、前記多次元の物理的物体の材料とは異なる光学特性を有する物質から成る要素であり、たとえば、前記物理的物体内にランダムに分散する、異なる色の物質のドロップである、請求項１に記載の製品の偽造防止方法。
【請求項１２】
前記識別子が、前記製品に取り付けられたラベルの一部、又は包装の一部とされる、請求項１に記載の製品の偽造防止方法。
【請求項１３】
前記識別子が前記製品の一部とされる、請求項１に記載の製品の偽造防止方法。
【請求項１４】
前記識別子が、該識別子及び／若しくは前記製品の完全性、並びに／又は該識別子の結合を損なうことなく、取り外して別の製品に取り付けることができないように前記製品に取り付けられる、請求項１に記載の製品の偽造防止方法。
【請求項１５】
前記識別子が、肉眼での比較によって検出可能な、他の識別子との類似性を呈する少なくとも一つの特性を有する、請求項１に記載の製品の偽造防止方法。
【発明の詳細な説明】
【技術分野】
【０００１】
本発明は、商品の偽造防止方法、すなわち、偽造品を検出する方法に関するものであり、製造業者が自身の製品を保護するために、また消費者が違法製造業者によって製造された商品を購入するのを防止するために使用することができる。
【背景技術】
【０００２】
重要な紙の文書の偽造を防止する方法が既知である。この方法は、紙の文書の特別な領域に配置される特別な識別コードに対応する特別な標識を使用する。紙の文書の特別な領域の微細構造が電子的に走査され、当該領域の微細構造に対応する識別ベクトルのパラメータが形成される。このベクトルは或るアルゴリズムによって保護コードに変換される。保護コードの値は特別な標識の値と一致する（１９９７年８月２７日に発行されたロシア特許第２０８８９７１号明細書  Ｃ１、ＭＰＫ  ７  Ｇ０７Ｄ  ７／００を参照されたい）。
【０００３】
この既知の方法は、重要な紙の文書の偽造防止の有効性を高めると共に、このような防止をするためのコストを低減する。しかしながら、この既知の方法は暗号アルゴリズムの使用に基づいており、当該暗号アルゴリズムはこの方法を複雑にし、且つその使用を困難にしている。したがって、この方法を商品の偽造防止に使用することは限定される。
【０００４】
本発明の方法に最も密接に関連する方法は、偽造商品を検出することによって商品の偽造を防止する方法である。製品に取り付けられた物理的な識別表示とその画像とを比較することによって、商品の真正性が判定される。物理的な識別表示は、ランダムに配置された光学的に検出可能な要素を含む。光学的に検出可能な要素は、光学パターンを有する或る材料の固有の特性である。物理的パターンが識別表示のアナログ画像と比較される（２００３年４月１０日に発行されたロシア特許第２２０２１２７号明細書  Ｃ１、ＭＰＫ  ７  Ｇ０７Ｄ  ７／２０を参照されたい）。
【０００５】
この既知の方法は、以下の欠点を有する。
−ユーザが、識別表示及びその画像という二つの複雑な光学的物体を視覚的に比較しなければならないという事実により、比較手順の結果の精度（信頼性）が低い。
−ユーザが実施する必要がある手順が複雑で、困難で、数が多く、また、商品の真正性の判定に要する時間が長い。ユーザは、識別子の番号を判断し、この識別子の番号を製造業者に送信し、画像を受信し、二つの複雑な光学的物体（識別子及び画像）を視覚的に比較し、結果を分析して同一性の度合いに関して判定を下さなければならない。
−プロセスを単純化し、ユーザが実施する必要がある手順の数を減らすことができない。また、いくつかの手順を自動化することができないという事実により、プロセスの自動化によって製品の真正性を判定するのに要する時間を短縮することもできない。たとえば、ユーザは依然として、識別子の番号を判断し、この番号を製造業者に送って画像を受け取らなければならない。さらに、ユーザは、識別子のデジタル化に関連する手順を実施すると共に、比較のためにいくつかのソフトウェア手段を使用しなければならない。
【特許文献１】ロシア特許第２０８８９７１号明細書
【特許文献２】ロシア特許第２２０２１２７号明細書
【発明の開示】
【発明が解決しようとする課題】
【０００６】
本発明が対象とする技術的課題は、信頼性があり且つユーザにとって簡便な、製品の真正性を判定する方法、すなわち、偽造防止方法である。
【課題を解決するための手段】
【０００７】
この課題は、製品に取り付けられた識別子のデジタル画像を、データベース内に保存された該識別子のデジタル画像サンプルと比較することによって当該製品の真正性を判定することにより達成され、該識別子はランダムに配置された光学的に視認可能な要素を含む多次元の物理的物体の形態を有する。
【０００８】
本発明の別の変形形態では、それぞれの識別子は、たとえば、データベース内に保存されている複数のデジタルサンプルのうちのいずれのデジタル画像サンプルを検査対象の識別子のデジタル画像と比較する必要があるかを判定するのに役立つ登録番号のような、特有の識別表示を有する。
【０００９】
製品の真偽の判定は、関与する専門の第三者が、製造業者から文書を受け取り、当該製造業者の商標使用権を確認し、ユーザに提供される情報の信頼性を検査することによって達成される。
【００１０】
識別子の役割を果たす多次元の物理的物体は、不透明な要素がランダムに配置された透明な材料から、又は部分的に透明な材料から作成することができる。あらゆる通常の視認可能な粒子を不透明な要素として用いることができる。視認可能な粒子は、ランダムな形状で、種々の色であり、且つ種々の光学濃度を有することができる。視認可能な粒子は、透明な多次元の物体内に静的に配置されることができるか、又は透明な多次元の物体内に動的にランダムに配置されることができる（すなわち、自身の位置を変えることができる）。
【００１１】
視認可能な要素は、たとえば、異なる色の基材にランダムに分散しているドロップのような、多次元の物体の基材の光学特性とは異なる光学特性を有する材料から成る粒子であってよい。
【００１２】
識別子は、製品に取り付けられたラベルの一部とした形態で製造することができるか、製品自体の一部とすることができるか、又は包装の一部とすることができる。識別子は、識別子の完全性及び／又は製品自体の完全性を損なうことなく、別の製品に取り付けることができないように製品に取り付けられる。
【００１３】
識別子は、少なくとも一つの視覚的特性を有し、この視覚的特性は、識別子同士を肉眼で比較した際に視覚的に明白であり得る、他の識別子との類似性を呈する。識別子は、硬質の不透明な物質を粉砕してランダムな形状の視認可能な粒子にし、これらの粒子を透明な液体物質又は部分的に透明な液体物質に加えることによって製造することができる。次いで、製造された、粒子を含む液体物質を透明な容器内に満たし、液体物質をこの容器内で硬化させる。したがって、視認可能な粒子を透明な材料又は部分的に透明な材料内に混合することによって、硬質な多次元の識別子が製造される。
【００１４】
データベース内に保存されている画像サンプルとの比較のための識別子のデジタル化画像は、通信チャネルを介して、デジタル比較を実行するソフトウェアアプリケーション内に送信される。識別子のデジタル画像の生成及び転送は、たとえばデジタルカメラ付きの携帯電話のような、画像生成及びデータ転送の機能を有するデバイスによって実施することができる。
【００１５】
本発明を使用することによって、以下の技術的成果を達成することが可能となる。
−比較手順の結果の精度（信頼性）が高まる。
−ユーザによって実施される手順の数及び複雑さが低減される。
−比較手順を自動化することによって、製品の真正性の判定に要する時間を短縮することが可能となる。
【００１６】
本発明による、商品及び製品の偽造を防止する方法は、
−ランダムに配置されている光学的に視認可能な要素を含む、製品のための識別子（すなわち、保護要素、一意のラベル又は標識）を提供すること、
−識別子のデジタル画像（オリジナルのコード値）を生成すること、
−識別子の画像をデータベース内に入れること、
−真正性を判定される製品に取り付けられている識別子のデジタル画像を生成し、当該識別子のデジタル画像から生成されるコード値をデータベース内に保存されているオリジナルのコード値と比較することによって、製品の真正性を判定すること（コード値が一致すれば製品は真正とされ、コード値が一致しなければ、製品が偽造であることが検出される）
から成る。
【００１７】
本発明の方法と、上記の特許文献に記載されている既知の方法及び他の既知の方法との主な相違は、データベース内に保存されているオリジナルのデジタル画像を、ユーザによって生成された第二のデジタル画像と直接比較することである。この相違によって、上述の既知の方法の欠点を克服することが可能となり、また、既知の発明の作用によっては規定されず、且つ技術常識及び最新技術によっては予測できない、予期せぬ技術的成果を達成することも可能となる。
【００１８】
非常に高いレベルの製品の保護並びに信頼性及びユーザにとっての簡便性を提供する本発明の方法の実現による、予期せぬ技術的成果、そして本方法の必要性は、本方法が既知の方法よりもかなり有利であることを立証する。既知のどの方法を単独でまたは他の方法と組み合わせて用いても、偽造識別子の製造コストがオリジナルの識別子の製造コストよりもはるかに高くなると考えられるこのような保護を実現することはできない。さらに、製造業者が自身の製品の真正性についての、複雑且つ非常に精密な技術的検査を行い、一方で消費者は売り渡しの時点ですぐに結果を通知される。消費者はいかなる種類の特別な機器も用いる必要がない。消費者がすることは二つの非常に簡単な作業を実施することだけ、すなわち、自身の携帯電話を用いて、写真を撮影しＭＭＳメッセージを送信するだけである。製品の真正性の判定に要する時間はほんの数秒程度である。
【発明を実施するための最良の形態】
【００１９】
図１は、ラベルと共に製品に取り付けられる識別子の一例を示す図である。
図２は、商品の偽造防止方法の機能方式を示す図である。
識別子（１）は、たとえば硬化した透明な充填物質を内部に有する通常のガラス又はプラスティック製ガラスのような透明な材料から作成された、多次元の物体を含む。透明な充填物質は内部にランダムに存在する硬質の粒子（２）を有する。識別子（１）はラベル（５）と共に糸（３）によって製品（４）に取り付けられる。ラベル（５）には、識別子の登録番号（６）と、画像を送信するためのアドレス（７）とが書き込まれている。
【００２０】
検証を行う第三者機関は、製造業者から当該製造業者の商標使用権を証明する文書を受け取り（ａ）、製造業者に識別子の登録番号を伝える（ｂ）。製造業者は識別子を製造し、識別子の登録番号が書き込まれているラベルと共に該識別子を製品に取り付ける（ｃ）。製造業者は識別子のデジタル画像を受信して、これを該識別子の登録番号及び製品の説明書と共にデータベース内に保存する（ｄ）。消費者は自身のデジタルカメラ付きの携帯電話を使用して、取り付けられた識別子とその登録番号のデジタル画像を生成する（ｅ）。次いで、消費者はそのデジタル画像を第三者検証機関に送信し（ｆ）、第三者検証機関は画像上の識別子の登録番号を識別して、消費者によって生成された画像を製造業者に送信し（ｇ）、製造業者は識別子の画像をデータベース内で検出し、それを消費者によって生成された画像と比較する。次いで、製造業者は比較結果を検証機関に送信し（ｈ）、次に、検証機関は、真正が証明されたこと、又は製品が偽造であるという警告を消費者に伝える（ｉ）。
【００２１】
本発明の実施態様の一例を以下で説明する。
【００２２】
１．識別子が製造され、ラベルと共に製品に取り付けられる。このために、以下のことが行われる。
−製造業者に識別子の登録番号を知らせる（文書によって製造業者の商標使用権を証明する）。
−識別子の登録番号をラベルに記入する。
−特別な装置によって、一片の硬質で不透明な材料（たとえば花崗岩）から必要なサイズの小さなチップ又は粒子を製造する。
−製造された視認可能な粒子を液体形態の透明な接着剤に加える。
−細い糸を製品及びラベル内の機能穴又は特製の穴に通す。
−糸の両端を所望の形状のガラス容器内に入れる。
−ガラス容器を透明な接着剤と視認可能な粒子との混合物で満たし、混合物が硬化するのを待つ。
【００２３】
２．識別子のデジタル画像が生成され、識別子の登録番号及び製品の説明書と共にデータベース内に保存される。
【００２４】
３．以下によって、製品の真正性を検査する。
−デジタルカメラ内蔵の携帯電話を使用して、製品に取り付けられている識別子及びラベルのデジタル画像を生成する。
−デジタル画像を、ラベルに表示されている電話番号又は電子メールアドレスに送信する（使用される電話番号又は電子メールアドレスは、全ての製造業者について同じものである）。
−受信した画像で識別子の登録番号を識別し、比較のために、それをこの登録番号を受け取っている製造業者に伝える。
−受信した識別子の登録番号を使用して、その対応するデジタル画像をデータベース内で検出する。
−データベース内で検出されたデジタル画像を、受信したデジタル画像と比較する。
−消費者に、製品の説明書及び製造業者の商標使用権の証明書を含む、製品が真正であることの証明書を送信する（画像が一致する場合）か、又は、消費者に製品が偽造であると警告する。
【図面の簡単な説明】
【００２５】
【図１】ラベルと共に製品に取り付けられる識別子の一例を示す図である。
【図２】商品の偽造防止方法の機能方式を示す図である。
【符号の説明】
【００２６】
１  識別子
２  粒子
３  糸
４  製品
５  ラベル
６  登録番号
７  アドレス
【図１】
2008533538.tif 000003
【図２】
2008533538.tif 000004
【国際調査報告】
2008533538.tif 000005
2008533538.tif 000006